(57)【特許請求の範囲】
【請求項１】
下縁部が室外側見込み面とそれよりも高い室内側見込み面と両見込み面間の中間見付け面とで階段状に形成された躯体開口部に取付けるものであって、下枠と竪枠とを備え、下枠は、躯体室外側面に当接して固定される躯体固定片と、下面に位置し室外側見込み面に載せる載置部と、中間見付け面に当接する当接部とを有し、竪枠は、躯体室外側面に当接して固定される躯体固定片と、下枠の端面が当接する見込み片とを有し、載置部を中間見付け面から離間すると共に当接部を室外側見込み面から離間し、且つ見込み片の室内側竪縁と下縁との角部を切除し、室外側見込み面と中間見付け面との入隅部との間に隙間を形成したことを特徴とするサッシ外額縁。
【発明の詳細な説明】
【技術分野】
【０００１】
本発明は、サッシを躯体開口部に取付けるための外額縁に関する。
【背景技術】
【０００２】
サッシを外壁よりも室内側に入り込んだ状態に施工すると、外から建物を見たときに窓部に深い陰影が付き、またサッシ枠の余分な線が隠れることから、重厚で格調高い外観意匠になる。そのようにサッシを外壁よりも室内側に入り込んだ状態に施工するために従来は、図８に示すように、サッシ枠９０を囲むように外額縁９１を設け、外額縁を躯体開口部９２に取付けている。外額縁９１の下枠９３が載置される躯体開口部の下縁部９２ａは、窓台９４上面の室内側に付け枠９５を設置して、階段状にしてある。外額縁の下枠９３は、室外側に張出す水切り部９６と、躯体の室外側面に当接してネジ止めする躯体固定片９７と、サッシ枠の下枠９８を載置してネジ止めする下枠取付部９９と、付け枠９５の室外側面に当接して垂下し且つ下端部が窓台９４上面に載置される窓台載置片１００とを有している。
一般に、窓枠を躯体開口部に取付ける際には、非特許文献１に示すように、躯体室外側面から窓台上面に亘って防水シートを貼着し、この防水シートにより雨水や結露水が躯体内に浸入するのを防止している。上述のように、躯体開口部の下縁部９２ａが階段状に形成されている場合には、図９に示すように、躯体室外側面１０１から付け枠９５の上面９５ａに亘って防水シート１０２を階段状に貼ることになる。このとき、付け枠９５の室外側面と窓台９４の上面との間の入隅部１０３において、防水シート１０２に浮き上がり１０４が生じやすい。下枠９３の窓台載置片１００は、図８に示すように、下端部がちょうどその入隅部１０３に配置されるため、防水シート１０２が入隅部１０３において浮き上がり１０４が生じていると、窓枠を躯体開口部内に配置したときに、窓台載置片１００により防水シート１０２が破れるおそれがあった。防水シートが破れると、破れたところから躯体内に雨水や結露水が浸入する。  
【非特許文献１】三協立山アルミ株式会社発行のカタログ「マディオＰ・Ｓ［在来］  納まり参考図」（カタログＮｏ．ＳＴＪ０２３４Ａ  Ｔ．０７．０８−０３０）、第１版、２００７年８月、ｐ．９９２「たて断面」の図
【発明の開示】
【発明が解決しようとする課題】
【０００３】
本発明は以上に述べた実情に鑑み、躯体開口部下縁部の入隅部において防水シートに浮き上がりがあったとしても、防水シートを破ることのないサッシ外額縁の提供を目的とする。
【課題を解決するための手段】
【０００４】
上記の課題を達成するために請求項１記載の発明によるサッシ外額縁は、下縁部が室外側見込み面とそれよりも高い室内側見込み面と両見込み面間の中間見付け面とで階段状に形成された躯体開口部に取付けるものであって、下枠と竪枠とを備え、下枠は、躯体室外側面に当接して固定される躯体固定片と、下面に位置し室外側見込み面に載せる載置部と、中間見付け面に当接する当接部とを有し、竪枠は、躯体室外側面に当接して固定される躯体固定片と、下枠の端面が当接する見込み片とを有し、載置部を中間見付け面から離間すると共に当接部を室外側見込み面から離間し、且つ見込み片の室内側竪縁と下縁との角部を切除し、室外側見込み面と中間見付け面との入隅部との間に隙間を形成したことを特徴とする。
【発明の効果】
【０００５】
請求項１記載の発明によるサッシ外額縁は、載置部を中間見付け面から離間すると共に当接部を室外側見込み面から離間し、且つ見込み片の室内側竪縁と下縁との角部を切除し、室外側見込み面と中間見付け面との入隅部との間に隙間を形成したので、躯体開口部下縁部の入隅部において防水シートに浮き上がりがあったとしても、防水シートが破れることがなく、防水シートにより雨水や結露水が躯体内に浸入するのを確実に防止できる。
【発明を実施するための最良の形態】
【０００６】
以下、本発明の実施の形態を図面に基づいて説明する。図４は、本発明を適用した窓の一実施形態を示す室外側正面図であり、図２は同窓の縦断面図であり、図３は同窓の横断面図であり、図１は同窓の下枠部分を拡大して示す縦断面図である。この窓は、図２と図３に示すように、躯体開口部３に取付ける外額縁１５と、外額縁１５の内周に嵌め込んで固定したサッシ枠１６とで窓枠５０が二重に構成してあり、サッシ枠１６の内周にガラスパネル１７を嵌め込み、嵌め殺し窓としてある。サッシ枠１６内周の室内側には、額縁１８を取付けてある。サッシ枠１６は、外壁１９よりも室内側に入り込んだ状態に設置してある。外壁１９は、モルタルを塗って形成してある。
【０００７】
躯体は木造軸組み構造となっており、左右の柱２０，２０と、左右の柱２０，２０間に架設した窓台４及びまぐさ２１とで躯体開口部３が形成してある。躯体開口部３の下縁部３ａは、窓台４の上面４ａの室内側に矩形断面の付け枠５を取付けて、階段状に形成してある。躯体の室外側には、外壁下張材（合板）６が取付けてあり、躯体の室内側には内装材（石膏ボード）２２が取付けてある。窓枠５０を躯体開口部３に取付けるにあたり、躯体開口部の下縁部３ａには、図１と図２に示すように、外壁下張材６の室外側面６ａから付け枠５の上面５ａに亘って防水シート７を階段状に貼着している。
【０００８】
外額縁１５は、上枠２３と下枠１と左右の竪枠２，２を四周枠組みして形成してある。下枠１は、躯体開口部の下縁部３ａに取付けるものであり、図１に示すように、外壁１９よりも室外側に張出した水切り部２４と、水切り部２４の室内側から垂下した躯体固定片８と、躯体固定片８よりも室内側の下面に室内外方向に離間して設けた窓台上面４ａへの載置片４９，９と、室内側端部に設けた付け枠５の見付け面５ｂへの当接片１０と、当接片１０から上方に立ち上がった起立片４０を有している。室内側の載置片９は、付け枠５の見付け面５ｂから５ｍｍ程度室外側に離間している。当接片１０は、窓台上面４ａから１０ｍｍ程度上方に離間している。躯体固定片８の上部には、躯体開口部３の下縁に係止する係止片２５を設けてある。この下枠１は、防水シート７を貼った窓台上面４ａに載置し、躯体固定片８を外壁下張材の室外側面６ａに当接し、室外側からネジ２６で窓台４に固定している。
【０００９】
外額縁１５の竪枠２は、躯体開口部の側縁部３ｂに取付けるものであり、図３に示すように、柱２０の内周側面に沿う見込み片１２と、見込み片１２の内周側に設けた筒状部２７と、見込み片１２の室外側端部より外周側にのびる躯体固定片１１と、見込み片１２の室内側端部に設けた躯体固定片２９とを有しており、二箇所の躯体固定片１１，２９を柱２０に室外側と室内側からネジ２６，２８で固定している。筒状部２７の見込み面２７ａには、室内外方向に離間してタイト材保持溝３０が２本設けてあり、タイト材保持溝３０に取付けたタイト材３１ａ，３１ｂによりサッシ枠１６の竪枠３２との間の隙間を塞いでいる。筒状部２７は、図５に示すように、見込み面２７ａと室内側面２７ｂの下部が切除してあり、見込み片１２に下枠１の端面が当接している。見込み片１２は、図５（ｃ）に示すように、室内側竪縁１２ａと下縁１２ｂとの角部１３を、下枠１の載置片９の先端から当接片１０の先端にかけて斜めに切除してある。このように本サッシ外額縁１５は、載置片９を付け枠見付け面５ｂから離間すると共に当接片１０を窓台上面４ａから離間し、且つ見込み片１２の室内側竪縁１２ａと下縁１２ｂとの角部１３を斜めに切除することで、図１に示すように、窓台上面４ａと付け枠見付け面５ｂとの入隅部５１との間に隙間１４を形成している。
【００１０】
外額縁１５の上枠２３は、上記の竪枠２と略同じ断面形状となっており、図２に示すように、まぐさ２１の内周側面に沿う見込み片３３と、見込み片３３の内周側に設けた筒状部３４と、見込み片３３の室外側端部より外周側にのびる躯体固定片３５と、見込み片３３の室内側端部に設けた躯体固定片３６とを有しており、二箇所の躯体固定片３５，３６をまぐさ２１に室外側と室内側からネジ２６，２８で固定している。筒状部３４の見込み面３４ａには、室内外方向に離間してタイト材保持溝３０が２本設けてあり、タイト材保持溝３０に取付けたタイト材３１ａ，３１ｂによりサッシ枠１６の上枠３７との間の隙間を塞いでいる。
【００１１】
サッシ枠１６は、半外付け用のサッシ枠をそのまま使用したもので、上枠３７と下枠３８と左右の竪枠３２，３２を四周枠組みして形成してあり、各枠材は外周側に向けてのびるヒレ状の取付片３９をそれぞれ有している。サッシ枠１６は、外額縁１５の内周に室内側から嵌め込み、前記取付片３９を外額縁１５の下枠１の起立片４０と、外額縁１５の竪枠２と上枠２３の筒状部２７，３４の室内側面２７ｂ，３４ｂに室内側からネジ４１で固定している。サッシ枠１６は、このように外額縁１５を介して取付けることで、躯体開口部３に直接取付ける場合と比べて、室内側に移動した状態で取付けられる。サッシ枠１６の内側にはガラスパネル１７が嵌め込まれ、押縁４２によりガラスパネル１７を固定している。
図１，３に示すように、サッシ枠１６の竪枠３２の下方位置の外額縁１５の下枠１上面には、スペーサー４３が取付けてある。スペーサー４３は、上面がくぼんだ形に形成され、排水孔４４が形成してあり、タイト材３１ａを超えて浸入した雨水は、排水孔４４を通り水切り部２４上面を伝って室外に排水される。
【００１２】
外壁１９は、図２と図３に示すように、外額縁１５の竪枠２及び上枠２３の躯体固定片１１，３５と見込み片１２，３３に沿ってＬ字形に回り込ませてある。そのため、図４に示すように、外額縁１５の竪枠２と上枠２３の外周部分が外壁１９で隠れ、すっきりした外観になっている。また図２，３に示すように、サッシ枠１６が外壁１９よりも室内側に入り込んだ状態で取付けてあるため、外から建物を見たときに窓部に深い陰影が付き、重厚で格調高い外観意匠になっている。
【００１３】
次に、この窓の施工手順を説明する。まず、図６（ａ）に示すように、柱２０，２０と窓台４とまぐさ２１とで窓枠５０を取付けるための躯体開口部３を形成し、窓台４上面の室内側に付け枠５を取付ける。次に、図６（ｂ）に示すように、躯体の室外側面に外壁下張材６を取付ける。柱２０の室外側面には、外壁下張材６と同厚の面合わせ材４５を取付ける。次に、図６（ｃ）と図７（ａ）に示すように、躯体開口部の下縁部３ａに、外壁下張材６の室外側面から付け枠５の上面に亘って防水シート７を階段状に貼る。このとき、図１に示すように、窓台上面４ａと付け枠の見付け面５ｂとの入隅部５１において防水シート７に浮き上がり部４６が生ずることがある。その後、図７（ｂ）に示すように、窓台４及び付け枠５の端部と柱２０とのコーナー部に防水テープ４７を貼る。
窓枠５０は、外額縁１５とサッシ枠１６をそれぞれ枠組みした後、外額縁１５の内周側にサッシ枠１６を室内側から嵌め込んでネジ４１で固定する。
そうして組立てた窓枠５０を躯体開口部３に室外側から嵌め込み、外額縁１５の躯体固定片８，１１，２９，３５，３６を躯体にネジ２６，２８で固定する。このときサッシ外額縁１５は、図１に示すように、載置片９を付け枠見付け面５ｂから離間すると共に当接片１０を窓台上面４ａから離間し、且つ見込み片１２の室内側竪縁１２ａと下縁１２ｂとの角部１３を斜めに切除することにより、入隅部５１との間に隙間１４が形成してあるので、上述のように防水シート７が入隅部５１において浮き上がりが生じていても、下枠１の載置片９と当接片１０及び竪枠２の見込み片１２の角部１３が防水シートの浮き上がり部４６に接触しないため、防水シート７が破れることがない。
窓枠５０を取付けたら、外壁下張材６の室外側にラス網を配置してからモルタルを所定厚みで吹き付けて外壁１９を仕上げる。その後、外額縁１５の周囲と外壁１９との間にシール材４８を充填してシールする。またサッシ枠１６にガラスパネル１７、額縁１８を取付ける。
【００１４】
以上に述べたように本実施形態の窓は、外額縁１５を介在させることでサッシ枠１６を外壁１９よりも室内側に入り込んだ状態に設置できるものであり、窓枠５０を躯体開口部３に嵌め込む際、躯体開口部下縁部３ａに貼った防水シート７が入隅部５１において浮き上がりが生じていても、外額縁１５と入隅部５１との間に隙間１４を形成したことで防水シート７を破ることがなく、防水シート７により躯体内への雨水の浸入を確実に阻止できる。サッシ枠１６は、一般的な半外付け用のサッシ枠をそのまま使用できるので、簡単に外額縁１５に取付けでき、また嵌め殺し窓以外の他の種類の窓（例えば、引違い窓やすべり出し窓など）のサッシ枠１６をどれでも取付けることができ、窓の種類や大きさの違いに低コストで容易に対応できる。
【００１５】
本発明は、以上に述べた実施形態に限定されない。躯体開口部の下縁部は、室内側が高くなるように階段状に形成してあればよく、その構成は任意である。下枠や竪枠の断面形状は、適宜変更することができる。
【図面の簡単な説明】
【００１６】
【図１】本発明を適用した窓の下枠部分を拡大して示す縦断面図である。
【図２】同窓の縦断面図である。
【図３】同窓の横断面図である。
【図４】同窓の室外側正面図である。
【図５】（ａ）は外額縁の竪枠の横断面図であり、（ｂ）は同竪枠の正面図であり、（ｃ）は同竪枠の側面図である。
【図６】（ａ）は躯体開口部を室外側から見た図であり、（ｂ）はその室外側に外壁下張材を取付けた状態、（ｃ）は躯体開口部の下縁部に防水シートを貼着した状態を示している。
【図７】（ａ）は図６（ｃ）のＡ部を拡大して示す斜視図であり、（ｂ）はさらに躯体開口部のコーナー部に防水テープを貼着した状態を示している。
【図８】サッシ枠を外壁よりも室内側に入り込んだ状態で設置した窓の従来例を示す縦断面図である。
【図９】同窓の躯体開口部下縁部を拡大して示す縦断面図である。
【符号の説明】
【００１７】
１  下枠
２  竪枠
３  躯体開口部
３ａ  躯体開口部の下縁部
３ｂ  躯体開口部の側縁部
４  窓台
４ａ  窓台上面（室外側見込み面）
５  付け枠
５ａ  付け枠上面（室内側見込み面）
５ｂ  付け枠見付け面（中間見付け面）
６  外壁下張材
６ａ  外壁下張材の室外側面（躯体室外側面）
７  防水シート
８  躯体固定片（下枠）
９  載置片（載置部）
１０  当接片（当接部）
１１  躯体固定片（竪枠）
１２  見込み片
１３  見込み片の角部
１４  隙間
１５  外額縁
１６  サッシ枠
４６  防水シートの浮き上がり部
５１  入隅部
【図１】
0004845870.tif 000002
【図２】
0004845870.tif 000003
【図３】
0004845870.tif 000004
【図４】
0004845870.tif 000005
【図５】
0004845870.tif 000006
【図６】
0004845870.tif 000007
【図７】
0004845870.tif 000008
【図８】
0004845870.tif 000009
【図９】
0004845870.tif 000010